(57)【要約】【課題】ファイルサーバにおけるシャットダウンの遅延を低減しつつ、端末装置におけるアクセス再開の遅延も低減し得る、通信管理装置、通信管理方法、及びプログラムを提供する。【解決手段】通信管理装置１０は、ファイルサーバと端末装置との通信を管理するための装置である。通信管理装置１０は、一定の状況下において、ファイルサーバから端末装置に送信される信号を通過させ、端末装置からファイルサーバに送信される信号を除去する、フィルタリング部１１を備えている。【選択図】図１
2019175155.tif 000002
【特許請求の範囲】
【請求項１】
ファイルサーバと端末装置との通信を管理するための装置であって、
一定の状況下において、前記ファイルサーバから前記端末装置に送信される信号を通過させ、前記端末装置から前記ファイルサーバに送信される信号を除去する、フィルタリング部を備えている、
ことを特徴とする通信管理装置。
【請求項２】
請求項１に記載の通信管理装置であって、
前記フィルタリング部は、前記ファイルサーバがシャットダウンされる状況下において、前記ファイルサーバから前記端末装置に送信される、ＲＥＳＥＴ信号を通過させ、前記端末装置から前記ファイルサーバに送信される、再接続を求める信号を除去する、
ことを特徴とする通信管理装置。
【請求項３】
請求項１または２に記載の通信管理装置であって、
前記ファイルサーバが、ネットワークアタッチストレージである、
ことを特徴とする通信管理装置。
【請求項４】
請求項１〜３のいずれかに記載の通信管理装置であって、
当該通信管理装置が、前記ファイルサーバによって構築されている、
ことを特徴とする通信管理装置。
【請求項５】
ファイルサーバと端末装置との通信を管理するための方法であって、
一定の状況下で、前記ファイルサーバから前記端末装置に送信される信号を通過させ、前記端末装置から前記ファイルサーバに送信される信号を除去する、ステップを有する、ことを特徴とする通信管理方法。
【請求項６】
請求項５に記載の通信管理方法であって、
前記ステップにおいて、前記ファイルサーバがシャットダウンされる状況下で、前記ファイルサーバから前記端末装置に送信される、ＲＥＳＥＴ信号を通過させ、前記端末装置から前記ファイルサーバに送信される、再接続を求める信号を除去する、
ことを特徴とする通信管理方法。
【請求項７】
請求項５または６に記載の通信管理方法であって、
前記ファイルサーバが、ネットワークアタッチストレージである、
ことを特徴とする通信管理方法。
【請求項８】
コンピュータによって、ファイルサーバと端末装置との通信を管理するためのプログラムであって、
前記コンピュータに、
一定の状況下で、前記ファイルサーバから前記端末装置に送信される信号を通過させ、前記端末装置から前記ファイルサーバに送信される信号を除去する、ステップを実行させる、
ことを特徴とするプログラム。
【請求項９】
請求項８に記載のプログラムであって、
前記ステップにおいて、前記ファイルサーバがシャットダウンされる状況下で、前記ファイルサーバから前記端末装置に送信される、ＲＥＳＥＴ信号を通過させ、前記端末装置から前記ファイルサーバに送信される、再接続を求める信号を除去する、
ことを特徴とするプログラム。
【請求項１０】
請求項８または９に記載のプログラムであって、
前記ファイルサーバが、ネットワークアタッチストレージである、
ことを特徴とするプログラム。
【発明の詳細な説明】
【技術分野】
【０００１】
本発明は、ファイルサーバと端末装置との間の通信を管理するための、通信管理装置、及び通信管理方法に関し、更には、これらを実現するためのプログラムに関する。
【背景技術】
【０００２】
近年、コンピュータネットワークの発展により、企業等においては、複数の端末装置によるファイルの共有を可能にするファイルサーバが利用されている。ファイルサーバの１つとして、例えば、ネットワークアタッチストレージ（Network Attached Storage：以下「ＮＡＳ」と表記する）が知られている（例えば、特許文献１参照）。
【０００３】
一般に、ＮＡＳは、ＮＦＳ（Network File System）等のファイルシステムを備えており、ユーザは、端末装置を介して、ＮＡＳに格納されているデータを、それがネットワーク上にあることを意識することなく、利用することができる。
【０００４】
また、ＮＡＳと端末装置との接続は、一般に、ＴＣＰ（Transmission Control Protocol）によって行われている。従って、図６に示すように、端末装置は、ＮＡＳにアクセスする場合は、まず、ソケットを設定し、そのソケットから、ＮＡＳに対して接続要求を発行する。次いで、ＮＡＳは、認証処理を行い、認証できた場合は、新たにソケットを設定し、更に、ランダムにシーケンス番号を設定する。図６は、従来におけるファイルサーバと端末装置との通信を説明する説明図である。
【０００５】
そして、ＮＡＳは、このソケットから、シーケンス番号を端末装置に送信する。その後、端末装置は、送信されてきたシーケンス番号に基づいてＡＣＫ番号を設定し、設定したＡＣＫ番号をＮＡＳに送信する。更に、ＮＡＳは、送信されてきたＡＣＫ番号が、設定したシーケンス番号の一定範囲内にある場合は、接続を認め、端末装置によるアクセスを許可する。
【０００６】
更に、ＮＡＳにおいては、ＯＳ（Operating System）のアップデータ等に伴って、運用中に、シャットダウン及び再起動が必要となる場合がある。このような場合、ＮＡＳは、各端末装置との接続を切断するため、各端末装置に対してＲＥＳＥＴ信号を送信する。これにより、端末装置は、アプリケーションプログラムが、ＮＡＳとの接続が切断されたことを認識し、その後、再接続要求を発行する。再起動後、ＮＡＳが再接続要求を認める場合は、端末装置は、再度ＮＡＳにアクセスすることができる。
【０００７】
ところで、再接続要求の発行頻度は、端末装置で動作しているアプリケーションプログラムに依存するため、複数の端末装置から、間髪入れずに再接続要求が発行されてしまう場合がある。このような場合は、再接続要求への対応のために、ＮＡＳの負荷が高くなり、シャットダウンが遅延することがある。
【０００８】
シャットダウンが遅延すると、再起動も遅延してしまうことから、その対策として、ＮＡＳでは、シャットダウン開始時に、まず、端末装置とのネットワーク接続を行っているインターフェイスの部分が先に停止される。この場合は、上述したＲＥＳＥＴ信号は、各端末装置に対して送信されず、端末装置からの一切の要求は受け付けられない状態となるので、上述の遅延が発生することはない。
【先行技術文献】
【特許文献】
【０００９】
【特許文献１】特開２０１７−１３００１０号公報
【発明の概要】
【発明が解決しようとする課題】
【００１０】
しかしながら、ＮＡＳから各端末装置に対してＲＥＳＥＴ信号を送信することなく、ＮＡＳがシャットダウンされると、各端末装置は、シャットダウン前の接続を維持したままであるため、再起動後に直ぐにＮＡＳにアクセスできないという問題が発生してしまう。
【００１１】
具体的には、図６に示すように、ＮＡＳ（ファイルサーバ）は、再起動後に、再接続要求を受けると、新たなソケットで新規にシーケンス番号を設定するが、端末装置が使用するソケット及びシーケンス番号は、シャットダウン前と同じである。このため、ＮＡＳは、送信されてきたＡＣＫ番号が、設定したシーケンス番号の一定範囲内にないと判断し、接続を認めることはない。
【００１２】
そして、ＮＡＳから端末装置への応答がないため、端末装置は、ＮＡＳのソケットに対してＴＣＰリトライを実行する。そして、このＴＣＰリトライは、ＴＣＰのセッションがタイムアウトするまで繰り返され、その間、端末装置はＮＡＳにアクセスできない状態となる。
【００１３】
本発明の目的の一例は、上記問題を解消し、ファイルサーバにおけるシャットダウンの遅延を低減しつつ、端末装置におけるアクセス再開の遅延も低減し得る、通信管理装置、通信管理方法、及びプログラムを提供することにある。
【課題を解決するための手段】
【００１４】
上記目的を達成するため、本発明の一側面における通信管理装置は、ファイルサーバと端末装置との通信を管理するための装置であって、
一定の状況下において、前記ファイルサーバから前記端末装置に送信される信号を通過させ、前記端末装置から前記ファイルサーバに送信される信号を除去する、フィルタリング部を備えている、
ことを特徴とする。
【００１５】
また、上記目的を達成するため、本発明の一側面における通信管理方法は、ファイルサーバと端末装置との通信を管理するための方法であって、
一定の状況下で、前記ファイルサーバから前記端末装置に送信される信号を通過させ、前記端末装置から前記ファイルサーバに送信される信号を除去する、ステップを有する、ことを特徴とする。
【００１６】
更に、上記目的を達成するため、本発明の一側面におけるプログラムは、コンピュータによって、ファイルサーバと端末装置との通信を管理するためのプログラムであって、
前記コンピュータに、
一定の状況下で、前記ファイルサーバから前記端末装置に送信される信号を通過させ、前記端末装置から前記ファイルサーバに送信される信号を除去する、ステップを実行させる、
ことを特徴とする。
【発明の効果】
【００１７】
以上のように、本発明によれば、ファイルサーバにおけるシャットダウンの遅延を低減しつつ、端末装置におけるアクセス再開の遅延も低減することができる。
【図面の簡単な説明】
【００１８】
【図１】図１は、本発明の実施の形態における通信管理装置の概略構成を示すブロック図である。
【図２】図２は、本発明の実施の形態における通信管理装置の構成を具体的に示すブロック図である。
【図３】図３は、本発明の実施の形態で行われるファイルサーバと端末装置との通信を説明する説明図である。
【図４】図４は、本発明の実施の形態における通信管理装置１０の動作を示すフロー図である。
【図５】図５は、本発明の実施の形態における通信管理装置を実現するコンピュータの一例を示すブロック図である。
【図６】図６は、従来におけるファイルサーバと端末装置との通信を説明する説明図である。
【発明を実施するための形態】
【００１９】
（実施の形態）
以下、本発明の実施の形態における、通信管理装置、通信管理方法、及びプログラムについて、図１〜図５を参照しながら説明する。
【００２０】
［装置構成］
最初に、本実施の形態における通信管理装置の構成について説明する。図１は、本発明の実施の形態における通信管理装置の概略構成を示すブロック図である。
【００２１】
図１に示す、本実施の形態における通信管理装置１０は、ファイルサーバと端末装置との通信を管理するための装置である。図１に示すように、通信管理装置１０は、フィルタリング部１１を備えている。
【００２２】
フィルタリング部１１は、一定の状況下において、ファイルサーバから端末装置に送信される信号を通過させる。一方、フィルタリング部１１は、この状況下において、端末装置からファイルサーバに送信される信号を除去する。
【００２３】
このような構成により、本実施の形態では、例えば、ファイルサーバがシャットダウンされる状況下において、ファイルサーバから送信されるＲＥＳＥＴ信号については、端末装置に送信される。しかし、端末装置から送信される信号については、除去され、ファイルサーバに送信されないようになっている。このため、本実施の形態によれば、ファイルサーバにおけるシャットダウンの遅延を低減しつつ、端末装置におけるアクセス再開の遅延も低減できる
【００２４】
続いて、図１に加えて、図２を用いて、本実施の形態における通信管理装置の構成についてより具体的に説明する。図２は、本発明の実施の形態における通信管理装置の構成を具体的に示すブロック図である。
【００２５】
図２に示すように、本実施の形態では、通信管理装置１０は、ファイルサーバ２０の内部に後述するプログラムによって構築されている。ファイルサーバ２０は、ネットワーク４０を介して、端末装置３０にデータ通信可能に接続されている。
【００２６】
また、図２の例では、ファイルサーバ２０は、ＮＡＳである。ファイルサーバ２０は、通信部２１と、認証部２２と、データ格納部２３とを備えている。
【００２７】
通信部２１は、ソケット、シーケンス番号、及びＡＣＫ番号を設定して、端末装置３０との間でデータ通信を行う。但し、通信部２１と端末装置３０との通信は、通信管理装置
１０を介して行われている。認証部２２は、端末装置３０を介してログインするユーザの認証を行う。データ格納部２３は、各種データを格納している。
【００２８】
そして、本実施の形態では、通信管理装置１０のフィルタリング部１１は、ファイルサーバ２０がシャットダウンされる状況下になると、ファイルサーバ２０から端末装置３０に送信される、ＲＥＳＥＴ信号については通過させる。一方、この状況下において、フィルタリング部１１は、端末装置３０からファイルサーバ２０に送信される、再接続を求める信号については除去する。
【００２９】
ここで、図３を用いて、フィルタリング部１１による処理が行われた場合におけるファイルサーバ２０と端末装置３０との通信について説明する。図３は、本発明の実施の形態で行われるファイルサーバと端末装置との通信を説明する説明図である。
【００３０】
図３に示すように、まず、ファイルサーバ２０と端末装置３０との間で通信が開始される。具体的には、ファイルサーバ２０は、このソケット１から、シーケンス番号１００００を端末装置３０に送信する。
【００３１】
これにより、端末装置３０は、ソケット２から、送信されてきたシーケンス番号１００００に基づいてＡＣＫ番号１００００を設定し、設定したＡＣＫ番号１００００をファイルサーバ２０に送信する。更に、ファイルサーバ２０は、送信されてきたＡＣＫ番号１００００が、設定したシーケンス番号１００００の一定範囲内（１００００〜１０５００）にある場合は、接続を認め、端末装置によるアクセスを許可する。
【００３２】
通信が開始されると、端末装置３０は、ファイルサーバ２０から、５０００バイト分のデータを読み出す。そして、端末装置３０が、ファイルサーバ２０から、更に１００バイト分のデータを読み出そうとしているときに、ファイルサーバ２０においてシャットダウンが開始されるとする。
【００３３】
このような場合、ファイルサーバ２０は、各端末装置３０との接続を切断するため、各端末装置３０に対してＲＥＳＥＴを発行し、ＲＥＳＥＴ信号を送信する。そして、通信管理装置１０において、フィルタリング部１１は、ＲＥＳＥＴ信号の送信を許可し、これを通過させる。これにより、端末装置３０は、ＲＥＳＥＴ信号を受信し、そのアプリケーションプログラムは、ファイルサーバ２０との接続が切断されたことを認識する。
【００３４】
その後、端末装置３０において、アプリケーションプログラムは、再接続要求を発行し、再接続を求める信号をファイルサーバ２０に送信するが、フィルタリング部１１は、ファイルサーバ２０がシャットダウンされるまで、このような信号を除去する。そして、再接続を求める信号を除去された事で、ファイルサーバ２０は、再接続を拒否する信号を出す必要がなく、シャットダウンへと移行できる。また、端末装置３０においては、再接続を求める信号に対するレスポンスがない事で、アプリケーションプログラムは、ＴＣＰのタイムアウト時間まで待った上で、再度、再接続を求める信号を発行するという動作になる。つまり、アプリケーションプログラムは、従来と異なり、拒絶レスポンスに対する即座での再接続信号の発行を行わない。このため、ファイルサーバ２０においては、遅延することなくシャットダウンが行われる。
【００３５】
また、この場合、端末装置３０は、ファイルサーバ２０との接続が切断されたことを前提に、再接続を要求している。つまり、端末装置３０、シャットダウン前のシーケンス番号ではなく、新たなシーケンス番号を使って通信を行う。従って、ファイルサーバ２０が、再起動され、新規ソケット３のシーケンス番号１６０００をランダムに決定すると、端末装置３０は、このシーケンス番号に基づいてＡＣＫ番号１６０００を設定し、設定した
ＡＣＫ番号１６０００をファイルサーバ２０に送信する。
【００３６】
このように、本実施の形態では、ファイルサーバ２０は遅滞なくシャットダウン及び再起動される。そして、再起動後は、端末装置３０は速やかにファイルサーバ２０と通信を開始できる。
【００３７】
［装置動作］
次に、本実施の形態における通信管理装置１０の動作について図４を用いて説明する。図４は、本発明の実施の形態における通信管理装置１０の動作を示すフロー図である。以下の説明においては、適宜図１〜図３を参酌する。また、本実施の形態では、通信管理装置１０を動作させることによって、通信管理方法が実施される。よって、本実施の形態における通信管理方法の説明は、以下の通信管理装置１０の動作説明に代える。
【００３８】
図４に示すように、最初に、通信管理装置１０は、ファイルサーバ２０と端末装置３０との通信を中継する（ステップＡ１）
【００３９】
次に、通信管理装置１０は、ファイルサーバ２０において、シャットダウンが開始されているかどうかを判定する（ステップＡ２）。
【００４０】
ステップＡ２の判定の結果、シャットダウンが開始されていない場合は、通信管理装置１０は、再度ステップＡ１を実行する。一方、ステップＡ２の判定の結果、シャットダウンが開始されている場合は、通信管理装置１０は、フィルタリング部１１にステップＡ３を実行させる。
【００４１】
ステップＡ３では、フィルタリング部１１は、ファイルサーバ２０から端末装置３０に送信される、ＲＥＳＥＴ信号については通過させ、端末装置３０からファイルサーバ２０に送信される、再接続を求める信号については除去する。
【００４２】
ステップＡ３は、ファイルサーバ２０が完全にシャットダウンされるまで行われる。そして、ファイルサーバ２０が再起動すると、通信管理装置１０は、再度ステップＡ１を実行する。
【００４３】
以上のように本実施の形態によれば、ファイルサーバ２０は遅滞なくシャットダウン及び再起動される。そして、再起動後は、端末装置３０は速やかにファイルサーバ２０と通信を開始できる。つまり、本実施の形態によれば、ファイルサーバ２０におけるシャットダウンの遅延と、端末装置３０におけるアクセス再開の遅延とが、同時に低減される。
【００４４】
［プログラム］
本実施の形態におけるプログラムは、コンピュータに、図４に示すステップＡ１〜Ａ３を実行させるプログラムであれば良い。このプログラムをコンピュータにインストールし、実行することによって、本実施の形態における通信管理装置１０と通信管理方法とを実現することができる。この場合、コンピュータのプロセッサは、フィルタリング部１１として機能し、処理を行なう。
【００４５】
また、本実施の形態におけるプログラムを実行するコンピュータとしては、ファイルサーバ２０を構築するコンピュータが挙げられる。但し、本実施の形態では、ファイルサーバ２０を構築するコンピュータとは別のコンピュータによって、本実施の形態におけるプログラムが実行されていても良い。この場合は、通信管理装置１０は、ファイルサーバ２０の外部に構築されることになる。
【００４６】
［物理構成］
ここで、本実施の形態におけるプログラムを実行することによって、通信管理装置１０を実現するコンピュータについて図５を用いて説明する。図５は、本発明の実施の形態における通信管理装置を実現するコンピュータの一例を示すブロック図である。
【００４７】
図５に示すように、コンピュータ１１０は、ＣＰＵ（Central Processing Unit）１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。なお、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていても良い。
【００４８】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００４９】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５０】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００５１】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００５２】
なお、本実施の形態における通信管理装置１０は、プログラムがインストールされたコンピュータではなく、各部に対応したハードウェアを用いることによっても実現可能である。更に、通信管理装置１０は、一部がプログラムで実現され、残りの部分がハードウェアで実現されていてもよい。
【００５３】
上述した実施の形態の一部又は全部は、以下に記載する（付記１）〜（付記１０）によって表現することができるが、以下の記載に限定されるものではない。
【００５４】
（付記１）
ファイルサーバと端末装置との通信を管理するための装置であって、
一定の状況下において、前記ファイルサーバから前記端末装置に送信される信号を通過させ、前記端末装置から前記ファイルサーバに送信される信号を除去する、フィルタリング部を備えている、
ことを特徴とする通信管理装置。
【００５５】
（付記２）
付記１に記載の通信管理装置であって、
前記フィルタリング部は、前記ファイルサーバがシャットダウンされる状況下において、前記ファイルサーバから前記端末装置に送信される、ＲＥＳＥＴ信号を通過させ、前記端末装置から前記ファイルサーバに送信される、再接続を求める信号を除去する、
ことを特徴とする通信管理装置。
【００５６】
（付記３）
付記１または２に記載の通信管理装置であって、
前記ファイルサーバが、ネットワークアタッチストレージである、
ことを特徴とする通信管理装置。
【００５７】
（付記４）
付記１〜３のいずれかに記載の通信管理装置であって、
当該通信管理装置が、前記ファイルサーバによって構築されている、
ことを特徴とする通信管理装置。
【００５８】
（付記５）
ファイルサーバと端末装置との通信を管理するための方法であって、
一定の状況下で、前記ファイルサーバから前記端末装置に送信される信号を通過させ、前記端末装置から前記ファイルサーバに送信される信号を除去する、ステップを有する、ことを特徴とする通信管理方法。
【００５９】
（付記６）
付記５に記載の通信管理方法であって、
前記ステップにおいて、前記ファイルサーバがシャットダウンされる状況下で、前記ファイルサーバから前記端末装置に送信される、ＲＥＳＥＴ信号を通過させ、前記端末装置から前記ファイルサーバに送信される、再接続を求める信号を除去する、
ことを特徴とする通信管理方法。
【００６０】
（付記７）
付記５または６に記載の通信管理方法であって、
前記ファイルサーバが、ネットワークアタッチストレージである、
ことを特徴とする通信管理方法。
【００６１】
（付記８）
コンピュータによって、ファイルサーバと端末装置との通信を管理するためのプログラムであって、
前記コンピュータに、
一定の状況下で、前記ファイルサーバから前記端末装置に送信される信号を通過させ、前記端末装置から前記ファイルサーバに送信される信号を除去する、ステップを実行させる、
ことを特徴とするプログラム。
【００６２】
（付記９）
付記８に記載のプログラムであって、
前記ステップにおいて、前記ファイルサーバがシャットダウンされる状況下で、前記ファイルサーバから前記端末装置に送信される、ＲＥＳＥＴ信号を通過させ、前記端末装置
から前記ファイルサーバに送信される、再接続を求める信号を除去する、
ことを特徴とするプログラム。
【００６３】
（付記１０）
付記８または９に記載のプログラムであって、
前記ファイルサーバが、ネットワークアタッチストレージである、
ことを特徴とするプログラム。
【産業上の利用可能性】
【００６４】
以上のように、本発明によれば、ファイルサーバにおけるシャットダウンの遅延を低減しつつ、端末装置におけるアクセス再開の遅延も低減することができる。本発明は、ファイルサーバが利用される各種コンピュータシステムに有用である。
【符号の説明】
【００６５】
１０  通信管理装置
１１  フィルタリング部
２０  ファイルサーバ
２１  通信部
２２  認証部
２３  データ格納部
３０  端末装置
４０  ネットワーク
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2019175155.tif 000003
【図２】
2019175155.tif 000004
【図３】
2019175155.tif 000005
【図４】
2019175155.tif 000006
【図５】
2019175155.tif 000007
【図６】
2019175155.tif 000008